(57)【要約】【課題】構造が簡単で安価に製造でき、本番と同じ要領で訓練をすることができる心肺蘇生法トレーニング用具を提供する。【解決手段】傷病者の口の周囲に被せられるシート１と、シート１に取り付けられ、救助者の口に挿入されるマウスピース３とを備える。マウスピース３は、両端が開放された門形の本体３ａと、この本体３ａの両側壁３ｂ，３ｂの側縁部３ｅ，３ｅに連なり、シート１に接合される一対の接合片３ｃ，３ｃとを有する。本体３ａが前記門形の2つの角部３ｄ，３ｄと両側壁３ｂ，３ｂの側縁部３ｅ，３ｅとで屈曲して折り畳み可能に設定されており、シート１は空気透過性の不織布からなる。【選択図】図１
2009069529.tif 000002
【特許請求の範囲】
【請求項１】
傷病者の口の周囲に被せられるシートと、
前記シートに取り付けられ、救助者の口に挿入されるマウスピースとを備え、
前記マウスピースは、両端が開放された門形の本体と、この本体の両側壁の側縁部に連なり、前記シートに接合される一対の接合片とを有し、前記本体が前記門形の2つの角部と前記両側壁の側縁部とで屈曲して折り畳み可能に設定されており、
前記シートは空気透過性の不織布からなる心肺蘇生法トレーニング用具。
【請求項２】
請求項１において、前記マウスピースの本体は、門形の頂壁の端部に、折り曲げにより門形の両側壁の間に進入して本体の前記屈曲を防止する位置と前記屈曲を可能とする位置とに選択的に設定される折り曲げ片が設けられている心肺蘇生法トレーニング用具。
【請求項３】
請求項１または２において、前記マウスピースは、折り曲げられた単一の板状素材によって形成されている心肺蘇生法トレーニング用具。
【請求項４】
請求項１から３のいずれか１項において、前記シートの前記マウスピースが取り付けられた面と反対側の面に、救助者の口の位置を示すマークが付されている心肺蘇生法トレーニング用具。
【発明の詳細な説明】
【技術分野】
【０００１】
本発明は、救急時の人工呼吸法である呼気吹込み人工呼吸（マウスツーマウス）の訓練において、救助者の口を傷病者の口に直接接触させることなく行える心肺蘇生法トレーニング用具に関する。
【背景技術】
【０００２】
周知のとおり、心肺蘇生法は、例えば、意識障害、呼吸停止、心停止またはこれに近い状態に陥った傷病者を救助するための効果的な救急蘇生法として知られている。この心肺蘇生法によれば、傷病者の鼻孔を塞いで、救助者の口を傷病者の口に直接接触させ、呼気（空気）が外部に漏れ出ないよう救助者が傷病者の気道内に、空気を直接吹込んでマウスツーマウス人工呼吸を行い、かつ、この人工呼吸と心臓マッサージとを交互に行う。
【０００３】
しかし、前記マウスツーマウス人工呼吸法の場合、救助者の口が傷病者の口に直接触れるため、傷病者と救助者との間で病気が感染するおそれがある。そこで、マウスツーマウス人工呼吸法における病気の感染を防止する目的で、救助者の口が傷病者の口に直接触れないようにした人工呼吸用補助具が提案されている（特許文献１）。
【特許文献１】米国特許第３，６２６，９３６号明細書
【０００４】
このような心肺蘇生法は、かなり一般化されてきており、心肺蘇生法の訓練も行われるようになってきている。また、一度訓練を受けた場合でも、数年後に再訓練を受けることが必要であり、今後、訓練の頻度は増加していくことが予測される。
【発明の開示】
【発明が解決しようとする課題】
【０００５】
しかしながら、上記人工呼吸用補助具は、一般に使い捨てであるので、訓練の際に人工呼吸用補助具を用いることは経済的でない。そのため、救急時と同じ要領での訓練を行うことが難しい。
【０００６】
そこで、本発明は、部品点数の削減と構造の簡素化により単価を抑え、本番と同じ要領で訓練をすることができる心肺蘇生法トレーニング用具を提供することを目的とする。
【課題を解決するための手段】
【０００７】
上記目的を達成するために、本発明に係る心肺蘇生法トレーニング用具は、傷病者の口の周囲に被せられるシートと、前記シートに取り付けられ、救助者の口に挿入されるマウスピースとを備え、前記マウスピースは、両端が開放された門形の本体と、この本体の両側壁の側縁部に連なり、前記シートに接合される一対の接合片とを有し、前記本体が前記門形の2つの角部と前記両側壁の側縁部とで屈曲して折り畳み可能に設定されており、前記シートは空気透過性の不織布からなるものである。
【０００８】
この構成によれば、空気透過性の不織布からなるシートに、例えば厚紙製のマウスピースを取り付けるだけであるから、部品点数が少なく、構造も極めて簡単であるので、製造コストを低く抑えることができる。また、マウスピースは折り畳み可能であるので、コンパクトに収納することができ、持ち運びにも便利である。そのため、心肺蘇生法の訓練用として経済的に使用することが可能となり、訓練時に救急時と同じ要領での訓練を行うことができる。
【０００９】
本発明において、好ましくは、前記マウスピースの本体は、門形の頂壁の端部に、折り曲げにより門形の両側壁の間に進入して本体の前記屈曲を防止する位置と前記屈曲を可能とする位置とに選択的に設定される折り曲げ片が設けられている。この構成によれば、人工呼吸時にマウスピースが折り目に沿って屈曲するのを防止することができるので、使い勝手がよい。
【００１０】
本発明において、好ましくは、前記マウスピースは、折り曲げられた単一の板状素材によって形成されている。この構成によれば、不織布からなるシートと、マウスピースを構成する単一のシート素材のみから構成されるので、さらに、構成を簡素化できる。
【００１１】
本発明において、好ましくは、前記シートの前記マウスピースが取り付けられた面と反対側の面に、救助者の口の位置を示すマークが付されている。この構成によれば、傷病者の顔がシートに覆われた状態であっても、救助者は容易に傷病者の口の位置を知ることができるので、円滑な人工呼吸訓練が可能となる。
【発明の効果】
【００１２】
本発明の心肺蘇生法トレーニング用具によれば、空気透過性の不織布からなるシートに、マウスピースを取り付けるだけであるから、部品点数が少なく、構造も極めて簡単であるので、製造コストを低く抑えることができる。そのため、心肺蘇生法の訓練用として経済的に使用することが可能となり、訓練時に救急時と同じ要領での訓練を行うことができる。
【発明を実施するための最良の形態】
【００１３】
以下、本発明の好ましい実施形態について図面を参照しながら詳細に説明する。
図１は、本発明に係る心肺蘇生法トレーニング用具の傷病者側を示す斜視図であり、図２は、救助者側を示す斜視図である。なお、この明細書において、心肺蘇生法トレーニング用具の救助者側を表面と呼び、傷病者側を裏面と呼ぶ。図１において、シート１は、傷病者の口の周囲に被せられ、救助者の口が傷病者の口に直接触れることを防ぐためのもので、空気透過性の不織布からなっている。不織布とは、繊維を織らずに接合させてつくった布状のものをいい、布の厚みや空隙を容易に変更できる特長があり、例えば医療用のガーゼやマスク等に用いられる。図１の実施形態では、シート１は、正方形となっているが、長方形、円形または楕円形であってもよい。
【００１４】
図１のように、シート１の裏面の中央部には、救助者の口に挿入されるマウスピース３が取り付けられている。シート１の中央部には通気用の孔も設けられていない。マウスピース３は、心臓マッサージの際にシート１が移動して傷病者の口から外れるのを防ぐためのもので、例えば厚手の紙やプラスチックからなり、糊や両面テープ等でシート１に取り付けられる。また、マウスピース３は、シート１上に倒れ込むように折り畳み可能な構造となっており、シート１に取り付けた状態で、シート１とともにコンパクトに収納できるよう設定されている。マウスピース３の構造の詳細については後述する。
【００１５】
図２のように、シート１の表面における、マウスピース３が取り付けられた位置に対応する箇所に、傷病者の口の位置、すなわち救助者が呼気を吹き込む位置を示すマーク５が付されている。図２の実施形態では、マーク５は人間（傷病者）の唇の形としてあり、これによって救助者の口の位置と方向を認識できるようになっているが、方向を示す必要がない場合、丸印や×印等の位置のみを示すマークであってもよい。
【００１６】
図３（ａ）は、図１の実施形態のマウスピース３の倒立状態の拡大斜視図、図３（ｂ）は、該マウスピース３の折り畳み状態の拡大斜視図、図３（ｃ）は、マウスピース３の展開図である。この実施形態のマウスピース３は単一の厚紙のような板状素材からなる。図３（ａ）のように、マウスピース３は、門形の本体３ａと、この本体３ａに連なりシート１に接合される一対の接合片３ｃ，３ｃとを有している。門形の本体３ａは、シート１と平行な面で、シート１から最も突出した頂壁３ｆと、シート１および頂壁３ｆの両方に直交し両者を繋ぐ両側壁３ｂ，３ｂとを有する。頂壁３ｆと左右の両側壁３ｂ，３ｂとは、２つの角部３ｄ，３ｄで折り曲げられて連なっている。両側壁３ｂ，３ｂは、角部３ｄ，３ｄに対向する縁である側縁部３ｅ，３ｅで、接合片３ｃ，３ｃに連なっている。各側壁３ｂの前後両端縁３ｈ，３ｈの上部には、傷病者の口を傷つけないように、角部３ｄと端縁３ｈとに鈍角で連なる直線状の面取り部３ｉが設けられている。この面取り部３ｉは直線状でなく、外側に膨らむように湾曲させてもよい。マウスピース３は、本体３ａと接合片３ｃとが単一の厚紙を角部３ｄと側縁部３ｅとで折り曲げることにより形成されており、側縁部３ｅで屈曲して、図３（ｂ）に示すように折り畳まれる。この折り畳みについては後述する。
【００１７】
また、頂壁３ｆの長手方向における両端部には、頂壁３ｆの端縁３ｊと平行な折り曲げ線３ｋを介して折り曲げ片３ｇ，３ｇが設けられている。この折り曲げ片３ｇ，３ｇを、両側壁３ｂ，３ｂの間に進入するように折り曲げ線３ｋに沿って折り曲げることにより、門形の両側壁３ｂ，３ｂの間隔が小さくなるのを阻止して、本体３ａが屈曲するのを防止する。折り曲げ片３ｇ，３ｇを頂壁３ｆと平行な元の位置に戻すことにより、本体３ａの屈曲が可能となる。つまり、折り曲げ片３ｇ，３ｇは、屈曲を防止する位置と屈曲を可能とする位置とに選択的に設定される。この実施形態では、折り曲げ片３ｇ，３ｇは、頂壁３ｆの長手方向における両端部に設けられているが、一端部にのみ設けても良い。
【００１８】
図３（ｃ）は、この実施形態におけるマウスピース３の展開図である。マウスピース３は、前述のとおり、矩形の単一のシート素材（厚紙）からなり、これを折り曲げることによって形成される。すなわち、長手方向（前後方向）に直交する方向に、接合片３ｃ、側壁３ｂ、頂壁３ｆ、側壁３ｂ、接合片３ｃの順に形成されており、頂壁３ｆと両側壁３ｂ，３ｂとの境界と、両側壁３ｂ，３ｂ，と接合片３ｃ，３ｃとの境界に、角部となる折り目３ｄ，３ｄと側縁部となる折り目３ｅ，３ｅがそれぞれ形成されている。また、頂壁３ｆの長手方向両端部には折り曲げ片３ｇ，３ｇが形成されている。展開図から、角部３ｄ，３ｄを山折りに直角に折り曲げて、門形の本体３ａを形成し、側縁部３ｅ，３ｅを谷折りに直角に折り曲げて、接合片３ｃ，３ｃを形成することでマウスピース３が形作られる。こうして作られたマウスピース３は、糊または両面テープ等により接合片３ｃ，３ｃを介して、図１のシート１に固定される。
【００１９】
次に、マウスピース３の折り畳み方法について説明する。まず、上述のように、図３（ａ）の状態から折り曲げ片３ｇ，３ｇを折り曲げ前の元の位置に戻し、マウスピース３を屈曲可能にする。続いて、側縁部３ｅ，３ｅの片方を谷折りに、折り曲げられた側縁部３ｅ側の角部３ｄを山折りにし、頂壁３ｆが一方の側壁３ｂおよび接合片３ｃに重なるように、両側壁３ｂ，３ｂを図中の矢印Ａの方向に屈曲させる。図３（ｂ）は、マウスピース３の折り畳みが完了した状態を示している。図３（ｂ）のように、マウスピース３はシート１上で厚紙の３枚分の厚さ程度に折り畳まれるため、この状態でシート１全体を容易に折り畳んで、コンパクトに収納することができる。
【００２０】
この心肺蘇生法トレーニング用具を使用する際は、まず折り畳まれたシート１を広げ（図３（ｂ）の状態）、次に、前述のマウスピース３の折り畳み方法と逆の手順により、マウスピース３を倒立させ、折り曲げ片３ｇ，３ｇをマウスピース３が屈曲するのを防止する位置に設定する（図３（ａ）の状態）。その後、図４に示すように、マウスピース３を傷病者（例えばマネキン）の口に挿入し、表面のマーク５の位置に呼気を吹き込んで心肺蘇生を行う。
【００２１】
この心肺蘇生法トレーニング用具によれば、シート１に空気透過性のある不織布を用いているから、シート１に呼気を送り込むための孔を開ける加工をしたり、シート１の孔に呼気吹き込み用の樹脂製のマウスピースを固定したりする必要がないので、構造の簡素化、部品点数の削減および製造の容易化が実現し、その結果、単価を抑えることができる。このように、シート１の表面には何も取り付けられていないが、傷病者の口の位置、すなわち救助者が呼気を吹き込む位置を示すマーク５が付されているので、救助者の口を正確に位置決めして、傷病者の口に確実に呼気を吹き込むことができる。
【００２２】
シート１の裏面にはマウスピース３が取り付けられているので、心臓マッサージの際にシート１が移動するのを防ぐことができる。また、マウスピース３は折り畳み式であるので、本用具はコンパクトに収納することができ、持ち運びおよび携帯時に嵩張らない。さらに、マウスピース３の折り曲げ片３ｇ，３ｇを、本体３ａの屈曲を防止する位置に設定することで、マウスピース３の本体３ａの門形が安定し、使用時にマウスピース３が屈曲するのを防止することができる。また、マウスピース３は、単一の厚紙によって形成されているので、さらなる構造の簡素化、部品点数の削減および製造の容易化を可能とし、より一層単価を抑えることができる。
【００２３】
したがって、本用具は使い捨てであるが、心肺蘇生法の訓練のような大量に必要とされるケースに使用するのに経済的に有利である。そのため、本番と同じ要領で訓練を行うことも可能である。また、材料は不織布と厚紙のみであるので、使用後に廃棄するのも容易である。
【００２４】
図５は、本発明の第２実施形態に係る心肺蘇生法トレーニング用具の裏面を示す斜視図である。この実施形態と第１実施形態との違いは、マウスピース３の折り曲げ片３ｇがなく、側壁３ｂの両端の面取り部３ｉもないことのみで、それ以外の構成は、第１実施形態と同様である。この実施形態によれば、さらに、構造を簡素化することができる。
【図面の簡単な説明】
【００２５】
【図１】本発明に係る心肺蘇生法トレーニング用具の裏面（傷病者側）を示す斜視図である。
【図２】同心肺蘇生法トレーニング用具の表面（救助者側）を示す斜視図である。
【図３】（ａ）は同心肺蘇生法トレーニング用具のマウスピースの倒立時の拡大斜視図（ｂ）は同折り畳み時の拡大斜視図、（ｃ）は該マウスピースの展開図である。
【図４】同心肺蘇生法トレーニング用具を用いて、心肺蘇生を行っている状態を示す図である。
【図５】同心肺蘇生法トレーニング用具の第２実施形態の裏面を示す斜視図である。
【符号の説明】
【００２６】
１    シート
３    マウスピース
３ａ  マウスピース本体
３ｂ  側壁
３ｃ  接合片
３ｄ  角部
３ｅ  側縁部
３ｆ  頂壁
３ｇ  折り曲げ片
５    マーク
【図１】
2009069529.tif 000003
【図２】
2009069529.tif 000004
【図３】
2009069529.tif 000005
【図４】
2009069529.tif 000006
【図５】
2009069529.tif 000007